(57)【要約】【課題】マガジンを改良することなく、容易に所定の向きにマガジンを装填することが可能な記録材料供給装置およびこれを備えた画像形成装置を提供する。【解決手段】写真処理装置１は、長尺の感光材料Ｐが巻回されたロールＲを格納するための同一形状の複数のマガジン２１ａ〜２１ｃを装填し、感光材料Ｐに画像を記録する本体ユニット１０に感光材料Ｐを供給するマガジンユニット１１であって、マガジン台１０６と、第２ベース部１０３と、回動機構１０５と、を備えている。マガジン台１０６は、マガジン２１ｃを載置する。第２ベース部１０３は、マガジン台１０６が取り付けられている。回動機構１０５は、第２ベース部１０３に対してマガジン台１０６を９０度回動させる。そして、回動機構１０５によって第２ベース部１０３に対してマガジン台１０６を回動させて、常に同じ状態で載置されるマガジン２１ｃの引出口２０２ｃの向きを変えている。【選択図】図６
2008213989.tif 000002
【特許請求の範囲】
【請求項１】
長尺の記録材料が巻回された記録材料ロールを格納するためのマガジンを装填し、前記記録材料に画像を記録する本体部に前記記録材料を供給する記録材料供給装置であって、
前記マガジンを載置するためのマガジン台と、
前記マガジン台が取り付けられている筐体部と、
前記筐体部に対して前記マガジン台を所定方向に回動させる回動機構と、
を備えている記録材料供給装置。
【請求項２】
前記回動機構は、前記マガジン台に前記マガジンを載置した状態から前記所定方向に回動させた状態にする際に、前記マガジン台の回動軌跡が最小となるように前記マガジン台を回動させる、
請求項１に記載の記録材料供給装置。
【請求項３】
前記マガジンが載置された前記マガジン台を前記所定方向に回動した時、前記マガジンを係止するマガジンガイドをさらに備えている、
請求項１または２に記載の記録材料供給装置。
【請求項４】
前記回動機構は、
前記筐体部に取り付けられた固定側ギアと、
前記マガジン台に取り付けられており、前記固定側ギアと係合する回動側ギアと、
前記筐体部に対して前記マガジンを水平移動させる第１スライド部と、
を有している、請求項１から３のいずれか１項に記載の記録材料供給装置。
【請求項５】
前記マガジン台が前記所定方向に回動された状態において、前記回動側ギアが前記固定側ギアに係合するまでの遊び部が形成されている、
請求項４に記載の記録材料供給装置。
【請求項６】
前記マガジン台と前記回動機構とを連結する衝撃回避部材をさらに備えている、
請求項１から５のいずれか１項に記載の記録材料供給装置。
【請求項７】
前記回動機構は、前記筐体部に対して前記マガジン台を９０度回動させる、
請求項１から６のいずれか１項に記載の記録材料供給装置。
【請求項８】
前記マガジン台を前記所定方向に回動した時、前記マガジン台を固定するための位置決め部をさらに備えている、
請求項１から７のいずれか１項に記載の記録材料供給装置。
【請求項９】
前記マガジンを前記マガジン台の回動軸方向に水平移動させる第２スライド部をさらに備えている、
請求項１から８のいずれか１項に記載の記録材料供給装置。
【請求項１０】
複数の前記マガジンから送り出されてくる前記記録材料を所定の送り長さで前記本体部に送り出す共通のローラ対をさらに備えており、
前記マガジンが載置された前記マガジン台を前記所定方向に回動させた時、前記マガジンの内部から前記記録材料を引き出すための引出口と前記ローラ対とが近接している、
請求項１から９のいずれか１項に記載の記録材料供給装置。
【請求項１１】
前記マガジン台に配置されており、ユーザが掴むための取手をさらに備えている、
請求項１から１０のいずれか１項に記載の記録材料供給装置。
【請求項１２】
請求項１から１１のいずれか１項に記載の記録材料供給装置を備えている、画像形成装置。
【発明の詳細な説明】
【技術分野】
【０００１】
本発明は、記録材料を供給する記録材料供給装置およびこれを備えた画像形成装置に関する。
【背景技術】
【０００２】
従来から、記録材料に画像を形成する画像形成装置として、記録材料としての感光材料に対して露光・現像処理を施して画像を形成する写真処理装置や、記録材料に描画処理を施して画像を形成するプリンタ等が知られている。これらの画像形成装置には、長尺な記録材料が巻回されたロールを収容するための二つ以上のマガジンと、各マガジンから供給される記録材料に画像を形成する画像形成手段（写真処理装置においては露光ユニット、プリンタにおいてはプリンタヘッド）とを備えているものがある。
【０００３】
このような画像形成装置においては、各マガジンからの記録材料を共通の画像形成手段で処理できるように、各マガジンから記録材料を引き出して、下流工程である画像形成処理部へ記録材料を供給することが可能な、駆動ローラを備えている。これにより、送り長さを調整しながら画像形成処理部へと記録材料を供給することができる。
例えば、特許文献１においては、マガジンを従来の装填方向とは異なる方向に装填することによって、マガジン内部から記録材料を引き出す引出口と駆動ローラとの距離をほぼ等しくして、記録材料供給装置の省スペース化を図っている。また、特許文献１では、ユーザが、マガジンを持ち運び、あるいは、マガジン装填部に装填しやすいように、マガジンの全ての側壁にハンドルを設けている。これにより、ユーザは、マガジンがどの方向を向いていても容易に持ち上げることができる。
【特許文献１】特開２０００−２９４１号（平成１２年１月７日公開）
【発明の開示】
【発明が解決しようとする課題】
【０００４】
しかしながら、上記従来の記録材料供給装置では、以下に示すような問題点を有している。
すなわち、記録材料を格納するためのマガジンは、一般的に互換性があることから、他の記録材料供給装置あるいは写真処理装置等においても共通で使用している。このため、マガジンを既に所有しているユーザにおいては、新しい製品に対しても所有しているマガジン（例えば、ハンドルが１つしかない従来のマガジン）を使用したいというニーズが非常に高い。また、特許文献１では、従来のマガジンを使用することもできるが、例えば、装填方向、すなわち、持ち上げたい向きにハンドルがついていないマガジンの場合、そのマガジンを持ち上げることはユーザにとって負担が大きかった。
【０００５】
本発明の課題は、マガジンを改良することなく、容易に所定の向きにマガジンを装填することが可能な記録材料供給装置およびこれを備えた画像形成装置を提供することにある。
【課題を解決するための手段】
【０００６】
第１の発明に係る記録材料供給装置は、長尺の記録材料が巻回された記録材料ロールを格納するためのマガジンを装填し、記録材料に画像を記録する本体部に記録材料を供給する記録材料供給装置であって、マガジン台と、筐体部と、回動機構と、を備えている。マガジン台は、マガジンを載置する。筐体部は、マガジン台が取り付けられている。回動機構は、筐体部に対してマガジン台を所定方向に回動させる。
【０００７】
ここでは、回動機構を設けることによって筐体部に対してマガジン台を回動させ、常に同じ状態で載置されるマガジンの引出口の向きを変えている。
なお、ここで言う筐体部とは、回動するマガジン台に対して固定側の部材であるものも含み、例えば、スライド機構等を介して取り付けられた部材等も含まれる。
ここで、マガジンは、一般的に互換性があり、他の記録材料供給装置や写真処理装置においても共通で使用されている。そして、例えば、従来のセットする方向に上部に１つのハンドルを有するマガジンが普及している。
【０００８】
従来の記録材料供給装置においては、各マガジンを回転させた状態でマガジン装填部に装填し、マガジン内部から記録材料を引き出す引出口と駆動ローラとの距離を短くして、記録材料供給装置の省スペース化を図っていた。しかし、装填方向を考慮して持ち運びを容易にするために設けられているハンドルなしに、重たいマガジンを持ち運び、マガジン装填部にマガジンを装填することは、ユーザにとって負担が大きかった。
【０００９】
そこで、本発明の記録材料供給装置においては、マガジンを載置するマガジン台を回動させるための回動機構を備え、マガジンの載置方向に関わらず引出口の向きが所定方向に変えられるようにしている。
これにより、ユーザは、マガジンの持ち運び等を容易にするハンドルを従来のように利用してマガジン台に載置することができる。そして、マガジン台を回動させることによってマガジンの引出口を所定方向に向ける。
この結果、従来利用していたマガジンを使用する場合であっても、容易に所定の向きにマガジンを装填することが可能となる。
【００１０】
第２の発明に係る記録材料供給装置は、第１の発明に係る記録材料供給装置であって、回動機構は、マガジン台にマガジンを載置した状態から所定方向に回動させた状態にする際に、マガジン台の回動軌跡が最小となるようにマガジン台を回動させる。
ここでは、例えば、マガジンが載置されたマガジン台の重心を中心にマガジン台を回動させることによって、マガジン台の回動軌跡が最小となるようにマガジン台を回動させている。
【００１１】
これにより、マガジン装填部のスペースの省スペース化を図ることが可能になる。また、マガジン装填部の前面に扉が設けられ、例えば、スライド機構等によってマガジン台を前面に引き出してマガジンを載置する場合においては、その扉の開閉面積を小さくすることができる。すなわち、マガジンの交換作業時における作業面積の省スペース化を図ることが可能となる。
【００１２】
第３の発明に係る記録材料供給装置は、第１または第２の発明に係る記録材料供給装置であって、マガジンが載置されたマガジン台を所定方向に回動した時、マガジンを係止するマガジンガイドをさらに備えている。
ここでは、マガジンガイドが、マガジンを係止することによって、マガジンの水平方向への移動、すなわち、横揺れを防止している。
ここで、記録材料を供給中のマガジンは、振動等によって動かされることによって、記録材料を傷つけてしまうおそれがある。
【００１３】
これにより、マガジンの横揺れ等を防止して、記録材料が良好な状態で供給されることを可能としている。
【００１４】
第４の発明に係る記録材料供給装置は、第１から第３の発明のいずれか１つに係る記録材料供給装置であって、回動機構は、筐体部に取り付けられた固定側ギアと、マガジン台に取り付けられており、固定側ギアと係合する回動側ギアと、筐体部に対してマガジンを水平移動させる第１スライド部と、を有している。
ここでは、固定側ギアと回動側ギアとによる係合と、第１スライド部によるスライドと、によってマガジン台の回動機構を形成している。例えば、水平方向に沿って歯形が形成された固定側ギアと、円弧状に沿って歯形が形成された回動側ギアと、が係合することによって、回転方向に移動させることを可能とし、固定側ギアの配置方向である水平方向に沿って配置されているスライドレール等によって、水平方向への移動を容易にしている。
【００１５】
これにより、マガジン台を筐体部に対して回動させながら水平移動させることが可能となる。この結果、マガジン台にマガジンを載置した状態から所定方向に回動させたとき、マガジン台の回動軌跡が最小となるようにマガジン台を回動させることが可能となる。
【００１６】
第５の発明に係る記録材料供給装置は、第４の発明に係る記録材料供給装置であって、マガジン台が所定方向に回動された状態において、回動側ギアが固定側ギアに係合するまでの遊び部が形成されている。
ここでは、マガジン台が所定方向に回動した状態（以後、回動状態と示す）から元のマガジンを載置する状態（以後、載置状態と示す）に戻る際において、回動側ギアと固定側ギアとの間に、例えば、８度回転するまで係合しない、いわゆる、遊び部が形成されている。
これにより、マガジンがマガジンガイドによる係止を外れるまで自由に回動させることが可能となるので、容易にマガジンの係止状態を形成することが可能となる。
【００１７】
第６の発明に係る記録材料供給装置は、第１から第５の発明のいずれか１つに係る記録材料供給装置であって、マガジン台と回動機構とを連結する衝撃回避部材をさらに備えている。
ここでは、例えば、マガジン台と回転側ギアとを連結する衝撃回避部材を設けている。
ここで、記録材料を格納したマガジンは重量が大きく、回転時において発生する衝撃も大きい。
これにより、マガジンを載置したマガジン台の回動による衝撃を緩和することが可能となる。この結果、衝撃によって発生するマガジンあるいはマガジン装填部の破壊等を防止することが可能となる。
【００１８】
第７の発明に係る記録材料供給装置は、第１から第６の発明のいずれか１つに係る記録材料供給装置であって、ここでは、載置状態から回動状態にするまでマガジン台を９０度回動させている。
これにより、例えば、載置状態におけるマガジンの引出口の方向を水平右方向から鉛直下方向に変えることが可能となる。
【００１９】
第８の発明に係る記録材料供給装置は、第１から第７の発明のいずれか１つに係る記録材料供給装置であって、マガジン台を所定方向に回動した時、マガジン台を固定するための位置決め部をさらに備えている。
ここでは、例えば、マガジン台に取り付けられた部材と筐体部に取り付けられた部材とを係合させることによって位置決め部を形成し、マガジン台が水平移動することを防止している。
【００２０】
ここで、マガジン台を所定方向に回動した時は、回動側ギアと固定側ギアとが互いに係合した状態にないので、マガジン台は、第１スライド部を介して水平に移動することが可能である。
これにより、マガジン台の水平方向への移動を防止することが可能となる。
【００２１】
第９の発明に係る記録材料供給装置は、第１から第８の発明のいずれか１つに係る記録材料供給装置であって、マガジンをマガジン台の回動軸方向に水平移動させる第２スライド部をさらに備えている。
ここでは、第２スライド部によってマガジン台をマガジン台の回動軸方向に水平移動させて、例えば、筐体部内部からマガジンを引き出すことを可能としている。
これにより、マガジン台の上下左右において十分な空間を確保することが可能となるので、マガジンを容易に載置することが可能となる。
【００２２】
第１０の発明に係る記録材料供給装置は、第１から第９の発明のいずれか１つに係る記録材料供給装置であって、複数のマガジンから送り出されてくる記録材料を所定の送り長さで本体部に送り出す共通のローラ対をさらに備えている。そして、マガジンが載置されたマガジン台を所定方向に回動させた時、マガジンの内部から記録材料を引き出すための引出口とローラ対とが近接している。
ここでは、マガジン装填部にマガジンを載置して、マガジンの引出口を所定方向に回転させた際、マガジンの引出口と共通のローラ対とが近接して配置されるようにしている。
これにより、マガジンの引出口と共通のローラ対との間における記録材料の搬送距離を短くすることができるので、記録材料の蛇行を防止することが可能となる。
【００２３】
第１１の発明に係る記録材料供給装置は、第１から第１０の発明のいずれか１つに係る記録材料供給装置であって、マガジン台に配置されており、ユーザが掴むための取手をさらに備えている。
【００２４】
ここでは、回動機構によって回動するマガジン台の一角にユーザが掴むための取手を配置している。
これにより、マガジン台を容易に回動させることが可能となる。
【００２５】
第１２の発明に係る画像形成装置は、第１から第１１の発明のいずれか１つに係る記録材料供給装置を備えている。
従来利用していたマガジンを使用する場合であっても、容易に所定の向きにマガジンを装填することが可能となる。
【発明の効果】
【００２６】
本発明に係る記録材料供給装置によれば、従来利用していたマガジンを使用する場合であっても、容易に所定の向きにマガジンを装填することが可能となる。
【発明を実施するための最良の形態】
【００２７】
本発明の一実施形態に係る供給部（記録材料供給装置）２を含んで構成される写真処理装置（画像形成装置）１について、図１〜図１３を用いて説明すれば以下の通りである。
［写真処理装置１の構成］
本発明の一実施形態に係る写真処理装置１は、図１および図２に示すように、供給部２と、露光処理部３と、現像処理部４と、乾燥処理部５と、仕分部６と、制御部７と、を備えている。供給部２は、感光材料（記録材料）Ｐを下流工程に供給する。露光処理部３は、画像データに基づいて感光材料Ｐを露光処理する。現像処理部４は、露光処理された感光材料Ｐを現像処理する。乾燥処理部５は、現像処理後の感光材料Ｐを乾燥処理する。仕分部６は、乾燥処理された感光材料Ｐを写真プリントとしてオーダー毎に仕分ける。制御部７は、写真処理装置１と電気的に接続されており、写真処理装置１全体の制御を行う。
【００２８】
本実施形態の写真処理装置１は、第１マガジン装填部（マガジン装填部）２０ａを含む供給部２の一部、露光処理部３、現像処理部４、乾燥処理部５および仕分部６によって構成される本体ユニット（本体部）１０と、２つのマガジン装填部（第２マガジン装填部２０ｂ，第３マガジン装填部２０ｃ）を含む供給部２の一部で構成されるマガジンユニット（記録材料供給装置）１１と、制御部７の制御ユニット１２とによって構成される。
【００２９】
［供給部２の説明］
供給部２は、図２に示すように、露光処理部３へ感光材料Ｐを供給するために設けられており、後述するマガジン２１ａ，２１ｂ，２１ｃを装填するための３つのマガジン装填部（第１マガジン装填部２０ａ，第２マガジン装填部２０ｂ，第３マガジン装填部２０ｃ）と、感光材料を送り出すための供給部搬送系（搬送経路ＴＬ１，ＴＬ２）を備えている。
【００３０】
マガジン２１ａ，２１ｂ，２１ｃは、ロール（記録材料ロール）Ｒを軸支状態で収納できるよう箱状に形成されており、それぞれ第１〜第３マガジン装填部２０ａ，２０ｂ，２０ｃに装填された状態で、ロールＲを軸心回りに回転させつつロールＲから感光材料Ｐを長手方向に供給できるようになっている。
具体的に説明すると、マガジン２１ａ，２１ｂ，２１ｃは、図２に示すように、ロールＲが外挿されているコアｒを外挿可能に構成されており、コアｒを介してロールＲを軸支状態で収容できるようになっている。さらに、マガジン２１ａ，２１ｂ，２１ｃは、ロールＲから巻きの解かれた感光材料Ｐを外部に送り出すための引出口２０２ａ，２０２ｂ，２０２ｃが一角部に設けられている。また、引出口２０２ａ，２０２ｂ，２０２ｃに対応して感光材料Ｐを圧着搬送する一対の送出ローラ対２０１ａ，２０１ｂ，２０１ｃが配設されている。これにより、マガジン２１ａ，２１ｂ，２１ｃに格納された感光材料Ｐは、送出ローラ対２０１ａ，２０１ｂ，２０１ｃの圧着搬送によって、ロールＲの巻きを解きつつ引出口から下流側に送り出す（供給する）ことができる。
【００３１】
本実施形態の写真処理装置１においては、第１マガジン装填部２０ａは、本体ユニット１０側に配置されている。また、第２および第３マガジン装填部２０ｂ，２０ｃは、マガジンユニット１１側に配置されている。ここで、マガジンユニット１１は、本体ユニット１０に対して、マガジン２１ｂ，２１ｃをオプションとして追加するためのものであって、本体ユニット１０に対して接離可能に形成されている。なお、本実施形態の写真処理装置１において、マガジン２１ａ，２１ｂ，２１ｃは、略同一形状のものを使用している。
【００３２】
（マガジンユニット１１側の詳細）
ここでは、第２および第３マガジン装填部２０ｂ，２０ｃが搭載されているマガジンユニット１１の内部構造について説明する。
マガジンユニット１１は、図３に示すように、筐体部１５と前面を覆う前面扉１６とを備えている。
【００３３】
筐体部１５は、マガジンユニット１１を形成するフレームであって、後述する前面扉１６や、第２スライドレール（第２スライド部）１０４等を介してマガジン台１０６等が、取り付けられている。
前面扉１６は、マガジンユニット１１の前面を覆うカバーであって、本実施形態のマガジンユニット１１においては、正面左端を軸として手前側に開閉するように取り付けられている。
【００３４】
マガジンユニット１１の内部は、図２および図４に示すように、第２および第３マガジン装填部２０ｂ，２０ｃが、鉛直上下方向に並んで配置されている。第２マガジン装填部２０ｂは、マガジン２１ｂを装填した際に、マガジン２１ｂの引出口２０２ｂが水平右方向を向くような構造となっている。一方、第３マガジン装填部２０ｃは、マガジン２１ｃを装填した際に、マガジン２１ｃの引出口２０２ｃが鉛直下方向を向くような構造となっている。これらの構造については後段にて詳述する。
【００３５】
第２マガジン装填部２０ｂは、図４に示すように、第１ベース部１０１と、２本１組の第１スライドレール１０２とを有している。
第１ベース部１０１は、マガジン２１ｂを載置するための部材であって、第１スライドレール１０２を介して筐体部１５に取り付けられている。そして、第１ベース部１０１は、手前側に引き出し可能となっている。これにより、マガジン２１ｂが手前側に引き出されるようになるので、ユーザは、マガジン２１ｂを容易に第１ベース部１０１に載置することができる。
【００３６】
第３マガジン装填部２０ｃは、図４〜図９に示すように、第２ベース部（筐体部）１０３と、第２スライドレール１０４と、回動機構１０５と、マガジン台１０６と、マガジンガイド１２０と、第１呼込ガイド（位置決め部材）１２１と、第２呼込ガイド（位置決め部材）１２２と、取手１２３とを有している。
第２ベース部１０３は、マガジン２１ｃを載置するマガジン台１０６を取り付けるための部材であって、第２スライドレール１０４を介して筐体部１５に取り付けられている。そして、第２ベース部１０３は、第２スライドレール１０４によって、図５に示すように、手前側（Ｂ側方向）に引き出し可能となっている。これにより、後述するマガジン台１０６が手前側に引き出されるようになるので、ユーザは、マガジン２１ｃを容易にマガジン台１０６に載置することができる。
【００３７】
マガジン台１０６は、マガジン２１ｃを載置するための部材であって、回動機構１０５を介して第２ベース部１０３に取り付けられている。マガジン台１０６は、回動機構１０５によって、図１１に示すような軌跡図を描きながら回動可能となっている。これにより、ユーザは、マガジン２１ｃを回動させた状態、すなわち、マガジン２１ｃの引出口２０２ｃを鉛直下方向に向けて装填することを容易に行うことができる。具体的には、第３マガジン装填部２０ｃは、図６に示すような状態でマガジン２１ｃが載置され（以後、このようなマガジン２１ｃ載置時のマガジン台１０６の向きを載置状態と示す）、マガジン台１０６が、時計回りに９０度回動させられる。これにより、図７に示すように、マガジン２１ｃの引出口２０２ｃを鉛直下方向に向けて装填（以後、このようなマガジン２１ｃ装填時のマガジン台１０６の向きを装填状態と示す）することができる。
【００３８】
回動機構１０５は、図８に示すように、回動側ギア１１４と、固定側ギア１１５と、第３スライドレール（第１スライド部）１１６と、第３ベース部１１７と、回動軸１１８と、ガススプリング（衝撃回避部材）１１９と、を有している。
回動側ギア１１４は、扇形形状をした外周面に歯形が形成されたギアであって、第３ベース部１１７を介してマガジン台１０６に取り付けられている。
【００３９】
固定側ギア１１５は、直線上の部材に歯形が形成されたギアであって、回動側ギア１１４と係合する。そして、固定側ギア１１５は、水平左右方向に沿って配置されており、第２ベース部１０３に取り付けられている。
第３スライドレール１１６は、第２スライドレール１０４と直交する方向（図６においては図面の正面から見て水平左右方向）に沿って配置されており、第２ベース部１０３に取り付けられている。
【００４０】
第３ベース部１１７は、第３スライドレール１１６を介して第２ベース部１０３に取り付けられており、第２ベース部１０３に対して水平左右方向に移動可能に支持されている。
回動軸１１８は、マガジン台１０６の回動時における回動軸である。回動軸１１８は、２箇所で第３ベース部１１７に支持されている。
【００４１】
ガススプリング１１９は、一方の端部が回動側ギア１１４に、他方の端部が第３ベース部１１７に取り付けられている。これにより、マガジン台１０６の回転時における衝撃を緩和することが可能となる。
マガジンガイド１２０は、第２ベース部１０３に取り付けられており、装填状態においてマガジン２１ｃを固定する。これにより、マガジン２１ｃが、装填状態において横ぶれすることを防止することができる。
【００４２】
第１呼込ガイド１２１は、第２ベース部１０３に取り付けられており、装填状態において、マガジン台１０６を固定する。具体的には、装填状態において、第１呼込ガイド１２１とマガジン台１０６に取り付けられた第２呼込ガイド１２２とが係合することによって、第２ベース部１０３に対してマガジン台１０６を固定する。
取手１２３は、マガジン台１０６の一角に取り付けられている。これにより、ユーザは、取手１２３を掴むことによって、マガジン台１０６を容易に回動させることができる。
【００４３】
（回動機構１０５の動作について説明）
ここでは、装填状態から載置状態までの回動機構１０５の動作について説明を行う。
図１２（ａ）は、装填状態における、回動側ギア１１４と固定側ギア１１５との状態図、図１２（ｂ）は、載置状態における回動側ギア１１４と固定側ギア１１５との状態図である。
【００４４】
回動側ギア１１４と固定側ギア１１５は、図１２（ａ）および図１３に示すように、装填状態において約８度の遊び（遊び部）を有している。すなわち、装填状態から載置状態にマガジン台１０６を回動させる（図１３：Ｇ方向に回動）際に、Ｇ方向に８度回動させるまで、回動側ギア１１４と固定側ギア１１５とが係合しない。これにより、マガジン２１ｃが載置されたマガジン台１０６を回動させて、マガジンガイド１２０におけるマガジン２１ｃの側面部の係止を外すことを可能としている。なお、回動側ギア１１４と固定側ギア１１５とが係合していない状態のとき、マガジン台１０６は水平左右方向に移動可能な状態であるが、第１呼込ガイド１２１と第２呼込ガイド１２２とが係合することによって、マガジン台１０６の移動を防止している。
【００４５】
回動側ギア１１４と固定側ギア１１５とが係合した後は、固定側ギア１１５の配置方向に沿って回動側ギア１１４が水平右方向に移動する。このとき、回動側ギア１１５が取り付けられている第３ベース部１１７は、水平右方向にスライドする。そして、第３ベース部１１７に回動軸１１８を介して取り付けられているマガジン台１０６は、回動軸１１８を軸にして回動する。この結果、マガジン台１０６に載置されたマガジン２１ｃは、図１１の回動軌跡が示すように、水平右方向に移動しながら反時計回りに回動することとなる。これにより、単純に１つの回動軸を中心に回動させる場合に比べて小さな軌跡を形成することが可能となる。この回動軌跡を小さくする効果は、角部を有する矩形形状の部材を回動させる場合に特に有効である。この結果、載置あるいは装填作業時において前面扉１６を開閉する角度を小さくすることができる。すなわち、マガジン２１ｃの交換作業時における作業面積の省スペース化を図ることが可能となる。
【００４６】
（搬送経路ＴＬ１，ＴＬ２について説明）
次に、第２および第３マガジン装填部２０ｂ，２０ｃからアドバンスローラ（ローラ対）２２０に至るまでの供給部搬送系（搬送経路ＴＬ１，ＴＬ２）について説明する。
搬送経路ＴＬ１は、図２に示すように、マガジンユニット１１内の下側に装填されるマガジン２１ｂと第２ターンローラ２１２とを結んでいる。そして、搬送経路ＴＬ１は、感光材料Ｐを搬送する搬送距離が他の構成（例えば、後述する第１ターンローラ）の配置を考慮した上で最短となるように形成されている。搬送経路ＴＬ１は、駆動系を一切備えておらず、送出ローラ対２０１ｂを回転駆動させることによって、第２マガジン２１ｂから感光材料Ｐを引き出し、供給口２０９ｂ（図５参照）を介して第２ターンローラ２１２に送り出す。なお、供給口２０９ｂは、マガジンユニット１１から本体ユニット１０へ感光材料Ｐを受け渡すための開口部であって、搬送経路ＴＬ１専用に設けられている。
【００４７】
搬送経路ＴＬ２は、図２に示すように、マガジンユニット１１内の上側に装填されるマガジン２１ｃと第２ターンローラ２１２とを結んでいる。そして、搬送経路ＴＬ２は、感光材料Ｐを搬送する搬送距離が他の構成（例えば、後述する第１，第２ターンローラ）の配置を考慮した上で最短となるように形成されている。搬送経路ＴＬ２は、駆動系として第１ターンローラ２０４を備えており、送出ローラ対２０１ｂと、第１ターンローラ２０４を回転駆動させることによって、マガジン２１ｂから感光材料Ｐを引き出し、供給口２０９ｂを介して第２ターンローラ２１２に送り出す。なお、供給口２０９ｃ（図５参照）は、マガジンユニット１１から本体ユニット１０へ感光材料Ｐを受け渡すための開口部であって、搬送経路ＴＬ２専用に設けられている。
【００４８】
なお、本実施形態の写真処理装置１においては、マガジン装填部２０ｃを９０度回動させた時、すなわち、マガジン台１０６が装填状態にある時、マガジン２１ｃの引出口２０２ｃとアドバンスローラ２２０とが近接して配置されるようになっている。これにより、マガジン２１ｃの引出口２０２ｃとアドバンスローラ２２０との間における感光材料Ｐの搬送距離を短くしている。この結果、感光材料Ｐの蛇行を防止することが可能となる。
【００４９】
（マガジン２１ｃの装填手順の説明）
ここでは、ユーザが、マガジン２１ｃを装填する場合についての手順について説明を行う。
最初に、ユーザは、図３に示すマガジンユニット１１の前面扉１６を開ける。
次に、ユーザは、第３マガジン充填部２０ｃの第２ベース部１０３を手前（図５に示すＢ方向）に引っ張って、筐体部１５の外側に引き出す。このとき、第２ベース部１０３は、第２スライドレール１０４に取り付けられているのでユーザは、容易に第２ベース部１０３を引き出すことができる。このとき、マガジン台１０６は、図９に示すように、装填状態にあるので、ユーザは、反時計回りに９０度回動（図９：Ｄ方向に回動）させて、図８に示すように、マガジン２１ｃを載置するために載置状態にセットする。
【００５０】
次に、マガジン２１ｃをマガジン台１０６に載置する。このとき、ユーザは、図６に示すように、マガジン２１ｃの上部に設置されたハンドル２１ｄを持って、マガジン２１ｃをマガジン台１０６の上方から下方に向けて（図６：Ｅ方向に向けて）載置する。このとき、マガジン２１ｃの引出口２０２ｃは、水平右方向を向いている。
次に、ユーザは、図６に示すように、第２ベース部１０３に対してマガジン台１０６を時計方向に９０度回動（Ｃ方向に回動）させて、図７に示すように、引出口２０２ｃを所定の鉛直下方向に向ける。このとき、ユーザは、マガジン台１０６に取り付けられている取手１２３を持つことで、容易にマガジン台１０６を回動させることができる。そして、図７に示すように、マガジン台１０６が９０度回動した際、マガジンガイド１２０が、装填状態におけるマガジン２１ｃの側面を係止する。これにより、マガジン２１ｃの横揺れを防止することができる。また、装填状態におけるマガジン２１ｃの底面側においては、マガジン台１０６を９０度回動（Ｃ方向に回動）させることによって、マガジン台１０６に取り付けられた第２呼込ガイド１２２と、第２ベース部１０３に取り付けられた第１呼込ガイド１２１とが係合する。これにより、所定の位置にマガジン台１０６が配置されるようにしている。
【００５１】
ここまでの手順で、マガジン２１ｃが所定の装填方向にセットされたので、ユーザは、第２ベース部１０３を奥側（図５：Ｆ方向）に押し入れて、格納位置にセットする。そして、ユーザは、前面扉１６を閉めることで、マガジン２１ｃの装填作業を完了する。
また、上記で述べた手順を逆順で実行することにより、マガジンユニット１１に装填されたマガジン２１ｃを取り外すことができる。この場合も、マガジン台１０６を回動させることによってマガジン２１ｃのハンドル２１ｄを上方に向けて、ユーザがマガジン２１ｃを取り出しやすい状態にすることができる。
【００５２】
［露光処理部３の説明］
露光処理部３は、図２に示すように、切断装置３５と、露光ユニット３６と、露光処理部搬送系（ローラ対３８ａ，スライド搬送体３８ｂ）と、を備えている。
切断装置３５は、アドバンスローラ２２０から送り出されてくる感光材料Ｐを所定の長さで切断してカットシートにする。
【００５３】
露光ユニット３６は、切断装置３５で切断された感光材料Ｐを露光処理する。そして、露光ユニット３６は、露光処理部搬送系３８ａ，３８ｂによって搬送される感光材料Ｐの乳剤面を露光する露光エンジン３７を備えている。露光エンジン３７は、レーザー光源（図示せず）や、レーザー光源からのレーザー光を露光ポイント（画像形成処理領域）Ａにまで導く光学系（例えば、ポリゴンミラーやレンズ：図示しない）等を備えた、いわゆるレーザーエンジンが採用されている。
【００５４】
露光処理部搬送系３８ａ，３８ｂは、各マガジン２１ａ，２１ｂ，２１ｃから供給される感光材料Ｐを下流側（現像処理部４）に搬送する。そして、露光処理部搬送系３８ａ，３８ｂは、露光処理部３内の搬送経路に対して随所に配置され、感光材料Ｐを圧着搬送（ローラ搬送）する複数のローラ対３８ａ…と、感光材料Ｐを圧着（把持）可能に構成され、かつ、搬送経路に沿って往復動可能に構成されたスライド搬送体３８ｂとを備えている。そして、ローラ対３８ａおよびスライド搬送体３８ｂによって、本体ユニット１０内で感光材料Ｐを搬送するための主たる搬送経路（主搬送経路という）ＴＭを形成している。主搬送経路ＴＭは、最上流のアドバンスローラ２２０から感光材料Ｐに対して画像を形成するための領域（露光ポイント）Ａを経由して現像処理部４に導くように形成されている。
【００５５】
［現像処理部４の説明］
現像処理部４は、図２に示すように、露光処理部３から送り込まれてくる感光材料Ｐを現像するためのものであって、現像処理液槽４０と、現像処理部搬送系４２と、を備えている。
現像処理液槽４０は、現像処理液が貯留されており、複数の液槽４０ａ，４０ｂ…が横並びに配置されることで構成されている。各液槽４０ａ，４０ｂ…には、感光材料Ｐに対して現像処理、漂白処理、定着処理、安定処理を行うための現像処理液が貯留されている。即ち、各液槽４０ａ，４０ｂ…には、上流側から順に現像液（ＣＤ）、漂白・定着液（ＢＦ）、安定液（ＳＴＢ）、洗浄液が貯留されている。
【００５６】
現像処理部搬送系４２は、現像処理液槽４０内の現像処理液に対して感光材料Ｐを浸漬して引き上げる動作を繰り返すように、感光材料Ｐを搬送する。現像処理部搬送系４２は、現像処理液槽４０（各液槽４０ａ，４０ｂ…）の現像処理液（現像液、漂白・定着液、安定液、洗浄液）中で感光材料Ｐを搬送する液中搬送系４２ａと、各液槽４０ａ，４０ｂ…から引き上げられた感光材料Ｐを下流側に隣接する液槽４０ｂ…内に導きつつ搬送する外部搬送系４２ｂとで構成されている。そして、各搬送系４２ａ，４２ｂのそれぞれは、複数のローラ対（採番しない）により構成されている。
【００５７】
［乾燥処理部５の説明］
乾燥処理部５は、図２に示すように、乾燥処理部搬送系５０と、乾燥装置５１と、第１排出口６０と、第２排出口６５と、を備えている。
乾燥処理部搬送系５０は、上流側の現像処理部４から送り込まれる感光材料Ｐを搬送する。乾燥処理部搬送系５０は、現像処理部４から送り込まれてきた感光材料Ｐの搬送方向を変更しながら搬送し、感光材料Ｐに対する乾燥処理に必要な距離（実際には、乾燥処理に必要な時間）を担保するようになっている。
【００５８】
乾燥装置５１は、乾燥処理部搬送系５０によって搬送されている感光材料Ｐを乾燥させる。
第１排出口６０と、第２排出口６５は、図１に示すように、乾燥処理した感光材料Ｐを本体ユニット１０外に排出する。第１排出口６０は、小判サイズの感光材料Ｐ（写真プリント）を排出する。第２排出口６５は、大判サイズの感光材料Ｐ（写真プリント）を排出する。
【００５９】
［仕分部６の説明］
仕分部６は、図１に示すように、第１排出口６０から排出される写真プリントを搬送するコンベア６１と、コンベア６１で搬送されてくる写真プリントをオーダー毎に仕分ける仕分機構６２と、を備えている。そして、仕分機構６２は、コンベア６１で搬送されてくる写真プリントを受けるための複数のトレー６２ａ，６２ｂ…と、複数のトレー６２ａ，６２ｂ…のうち、所定（空）のトレー６２ａ，６２ｂ…をコンベア６１から写真プリントを受け取り可能な位置に移動させるための駆動手段（図示しない）とで構成され、トレー６２ａ，６２ｂ…の配置を適宜変更することで、写真プリントをオーダー毎にそれぞれのトレー６２ａ，６２ｂ…に排出できるようになっている。
【００６０】
［制御部７の説明］
制御部７は、図１に示すように、モニター７０と、入力手段７１と、読取手段７２と、演算処理装置７３と、を備えている。
モニター７０は、各処理の処理状況や操作案内等を表示する。モニター７０は、ブラウン管モニターあるいは液晶モニターを採用することができ、本実施形態においては、ブラウン管モニターが採用されている。
【００６１】
入力手段７１は、モニター７０の表示に基づいて入力操作を行う。入力手段７１には、キーボード７１ａとマウス７１ｂとが採用されている。読取手段７２は、露光処理部３で感光材料Ｐに露光処理を行うための画像データを読み取る。
読取手段７２には、帯状のフィルムＦに形成された複数の駒画像を読み取るフィルムスキャナ７２ａ、ＣＤ−Ｒ／ＲＷやメモリカード等の各種メディアからデータ（例えば、画像データ）を読み込むメディアドライブ７２ｂが採用されている。
【００６２】
読取手段７２（フィルムスキャナ７２ａ，メディアドライブ７２ｂ）は、演算処理装置７３に電気的に接続され、演算処理装置７３に読み取った各画像データを伝送するようになっている。
演算処理装置７３は、画像編集等の各種処理や写真処理装置１全体の実質的な制御を行う。そして、演算処理装置７３は、実質的な演算を行うＣＰＵ（図示せず）や、ＣＰＵに演算を実行させるためのソフトウェア等が記憶されるＲＡＭ（図示せず）、ＲＯＭ（図示せず）等から構成されており、Ｉ／Ｏインターフェース（図示せず）を介して、読取手段７２の他に、モニター７０や入力手段７１が電気的に接続されている。
【００６３】
［写真処理装置１の特徴］
（１）
本実施形態の写真処理装置１は、図６に示すように、長尺の感光材料Ｐが巻回されたロールＲを格納するための同一形状の複数のマガジン（第１〜第３マガジン２１ａ〜２１ｃ）を装填し、感光材料Ｐに画像を記録する本体ユニット１０に感光材料Ｐを供給するマガジンユニット１１であって、マガジン台１０６と、第２ベース部１０３と、回動機構１０５と、を備えている。マガジン台１０６は、マガジン２１ｃを載置する。第２ベース部１０３は、マガジン台１０６が取り付けられている。回動機構１０５は、第２ベース部１０３に対してマガジン台１０６を９０度回動させる。そして、回動機構１０５によって第２ベース部１０３に対してマガジン台１０６を回動させて、常に同じ状態で載置されるマガジン２１ｃの引出口２０２ｃの向きを変えている。
【００６４】
これにより、ユーザは、マガジン２１ｃの持ち運び等を容易にするハンドル２１ｄを利用してマガジン台１０６に載置した後、マガジン台１０６を回動させることによってマガジン２１ｃの引出口２０２ｃを本実施形態の写真処理装置における所定の装填方向に向けることを可能としている。
この結果、第３マガジン充填部２０ｃに対して従来利用していたマガジン２１ｃを装填する場合であっても、容易にマガジン２１ｃを装填することが可能となる。
【００６５】
さらに、全てのマガジン装填部２０ａ〜２０ｃにおいて、全てのマガジン２１ａ〜２１ｃを同じ向きで載置するようなマガジン装填部２０ａ〜２０ｃの構造は、ユーザにとってわかりやすい。
（２）
本実施形態の写真処理装置１では、マガジン２１ｃが載置されたマガジン台１０６の略重心を中心にマガジン台１０６を回動させている。具体的には、マガジン台１０６とマガジン台１０６に載置されたマガジン２１ｃとを、図１１の回動軌跡が示すように、水平右方向に移動させながら反時計回りに回動させている。
【００６６】
これにより、マガジン台１０６の回動軌跡が最小となるようにマガジン台１０６を回動させることを可能としている。
（３）
本実施形態の写真処理装置１では、マガジンガイド１２０が、マガジン２１ｃの側面を係止することによって、横揺れを防止している。
【００６７】
これにより、マガジン２１ｃの横揺れ等を防止して、感光材料Ｐが良好な状態で供給されることを可能としている。
（４）
本実施形態の写真処理装置１では、図６に示すように、回動側ギア１１４、固定側ギア１１５、第３スライドレール１１６および第３ベース部１１７によってマガジン台１０６の回動機構１０５を形成している。具体的には、扇形形状をした外周面に歯形が形成された回動側ギア１１４と、直線上の部材に歯形が形成された固定側ギア１１５と、が係合することによって回動方向に移動させることを可能とし、固定側ギア１１５の配置方向に沿って配置されている第３スライドレール１１６によって、水平方向への移動を容易にしている。
【００６８】
これにより、マガジン台１０６を第３ベース部１１７に対して回動させながら水平移動させることが可能となる。この結果、マガジン台１０６にマガジン２１ｃを載置した状態から装填状態の方向に回動させたとき、マガジン台１０６の回動軌跡が最小となるようにマガジン台１０６を回動させることを可能としている。
（５）
本実施形態の写真処理装置１においては、回動側ギア１１４と固定側ギア１１５とが、図１２（ａ）および図１３に示すように、装填状態において約８度の遊びを有している。
【００６９】
これにより、マガジン２１ｃが載置されたマガジン台１０６を回動させて、マガジンガイド１２０におけるマガジン２１ｃの側面部の係止を外すことを可能としている。
（６）
本実施形態の写真処理装置１においては、図１０に示すように、ガススプリング１１９が、一方の端部が回動側ギア１１４に、他方の端部が第３ベース部１１７に取り付けられている。
【００７０】
これにより、マガジン台１０６の回転時における衝撃を緩和することが可能となる。
（７）
本実施形態の写真処理装置１においては、マガジン台１０６が、回動機構１０５によって、図１１に示すような軌跡図を描きながら回動可能となっている。
これにより、ユーザが、載置状態におけるマガジン２１ｃの引出口２０２ｃの方向から９０度回転させた向きに装填することを容易にしている。
【００７１】
（８）
本実施形態の写真処理装置１においては、第１呼込ガイド１２１と第２呼込ガイド１２２とが係合することによって、マガジン台１０６の移動を防止している。
これにより、回動側ギア１１４と固定側ギア１１５とが係合していない状態、すなわち、マガジン台１０６は水平左右方向に移動可能な状態であっても、マガジン台１０６が移動することを防止している。
【００７２】
（９）
本実施形態の写真処理装置１においては、マガジン装填部２０ｃを９０度回動させた時、マガジン２１ｃの引出口２０２ｃとアドバンスローラ２２０とが近接して配置されるようになっている。これにより、マガジン２１ｃの引出口２０２ｃとアドバンスローラ２２０との間における感光材料Ｐの搬送距離を短くし、感光材料Ｐの蛇行を防止することを可能としている。
【００７３】
（１０）
本実施形態の写真処理装置１においては、図６に示すように、取手１２３が、マガジン台１０６の一角に取り付けられている。これにより、ユーザは、取手１２３を掴むことによって、マガジン台１０６を容易に回動させることを可能としている。
［他の実施形態］
以上、本発明の一実施形態について説明したが、本発明は上記実施形態に限定されるものではなく、発明の要旨を逸脱しない範囲で種々の変更が可能である。
【００７４】
（Ａ）
上記実施形態の写真処理装置１では、マガジン台１０６が、第２スライドレール１０４を介して筐体部１５に取り付けられている第２ベース部１０３に対して回動する例を挙げて説明した。しかし、本発明はこれに限定されるものではない。
例えば、マガジン台は、筐体部に対して直接取り付けられていてもよいし、筐体部に直接取り付けられている部材に対して取り付けられていてもよい。
【００７５】
（Ｂ）
上記実施形態の写真処理装置１では、回動機構１０５によって、マガジン２１ｃの引出口２０２ｃの向きを水平右方向から鉛直下方向に変える例を挙げて説明した。しかし、本発明はこれに限定されるものではない。
例えば、鉛直上方向から水平右方向、鉛直上方向から鉛直下方向等にマガジンの引出口の向きを変えてもよい。
【００７６】
（Ｃ）
上記実施形態の写真処理装置１では、第２ベース部１０３に対して回動するマガジン台１０６の角度が９０度である例を挙げて説明した。しかし、本発明はこれに限定されるものではない。
例えば、１８０度や４５度等、９０度以外の角度であってもよい。
【００７７】
（Ｄ）
上記実施形態の写真処理装置１では、回動側ギア１１４と固定側ギア１１５との係合を利用して、第２ベース部１０３に対してマガジン台１０６を回動させる例を挙げて説明した。しかし、本発明はこれに限定されるものではない。
例えば、ベアリング等による回動部材や回動部材と曲線状に配置されたスライドレールとの組み合わせ等の回動機構に、マガジン台を取り付けてもよい。
【００７８】
（Ｅ）
上記実施形態の写真処理装置１では、マガジン台１０６が水平移動を行いながら回動する例を挙げて説明した。しかし、本発明はこれに限定されるものではない。
例えば、一つの軸を中心にマガジン台を回動させてもよい。ただし、設置面積等を考慮して、マガジン台の回動軌跡が極力小さくなるようにマガジン台を回動させることが望ましい。
【００７９】
（Ｆ）
上記実施形態の写真処理装置１では、回動側ギア１１４と固定側ギア１１５とが、図１２（ａ）および図１３に示すように、装填状態において約８度の遊びを有している例を挙げて説明した。しかし、本発明はこれに限定されるものではない。
例えば、遊びの角度は５度であっても、１０度であってもよく、マガジンが載置されたマガジン台を回動してマガジンガイドにおけるマガジンの係止を外せるだけの回動角度を有していればよい。
【００８０】
（Ｇ）
上記実施形態の写真処理装置１では、マガジン台１０６に取り付けられた第２呼込ガイド１２２と、第２ベース部１０３に取り付けられた第１呼込ガイド１２１との係合によってマガジン台１０６の位置決めをする例を挙げて説明した。しかし、本発明はこれに限定されるものではない。
【００８１】
例えば、回動側部材に取り付けられた凸部と固定側部材に取り付けられた凸部との係合、あるいは、回動側部材に取り付けられた凸部と固定側部材に取り付けられた凹部との嵌合によってマガジン台を位置決めしてもよい。
（Ｈ）
上記実施形態の写真処理装置１では、マガジンユニット１１に２つのマガジン装填部２０ｂ，２０ｃが搭載された例を挙げて説明した。しかし、本発明はこれに限定されるものではない。
【００８２】
例えば、１つのマガジン装填部や３つ以上のマガジン装填部が搭載可能なマガジンユニットであってもよい。
（Ｉ）
上記実施形態の写真処理装置１では、マガジンユニット１１から本体ユニット１０へ感光材料Ｐを受け渡すための開口部として、マガジンユニット１１に、２つの供給口（搬送経路ＴＬ１専用の供給口２０９ｂと搬送経路ＴＬ２専用の供給口２０９ｃ）が設けられている例を挙げて説明した。しかし、本発明はこれに限定されるものではない。
【００８３】
マガジンユニットに設けられる供給口は、マガジン装填部の数だけ設けなくてもよく、例えば、マガジンユニット内で搬送経路を集約して１つの供給口を設けてもよい。
【産業上の利用可能性】
【００８４】
本発明によれば、記録材料を格納する複数のマガジンを装填可能な記録材料供給装置において、そのマガジンの装填方向を容易に変えることが可能になるため、例えば、インクやトナーを用いて画像を形成するプリンタ等に備わる記録材料供給装置等へ広く適用可能である。
【図面の簡単な説明】
【００８５】
【図１】本発明の一実施形態に係る記録材料供給装置を含む写真処理装置の外観図。
【図２】図１の写真処理装置に含まれる本体ユニットおよびマガジンユニットの内部断面図。
【図３】図１の写真処理装置に含まれるマガジンユニットの外観図。
【図４】図３のマガジンユニットの内部斜視図。
【図５】図３のマガジンユニットに含まれるマガジン装填部を引き出した時の斜視図。
【図６】載置状態におけるマガジン装填部の正面斜視図。
【図７】装填状態におけるマガジン装填部の正面斜視図。
【図８】載置状態におけるマガジン装填部の正面斜視図。
【図９】装填状態におけるマガジン装填部の正面斜視図。
【図１０】装填状態におけるマガジン装填部の背面斜視図。
【図１１】マガジンが載置されたマガジン台の回動軌跡図。
【図１２】（ａ），（ｂ）はそれぞれ、装填状態における回動機構、載置状態における回動機構の状態を示した説明図。
【図１３】図１２の回動機構に含まれる回動側ギアと回転側ギアの遊びを示した説明図。
【符号の説明】
【００８６】
１        写真処理装置（画像形成装置）
２        供給部（記録材料供給装置）
３        露光処理部
４        現像処理部
５        乾燥処理部
６        仕分部
７        制御部
１０      本体ユニット（本体部）
１１      マガジンユニット（記録材料供給装置）
１２      制御ユニット
１５      筐体部
１６      前面扉
２０ａ    第１マガジン装填部
２０ｂ    第２マガジン装填部
２０ｃ    第３マガジン装填部
２１ａ    マガジン
２１ｂ    マガジン
２１ｃ    マガジン
２１ｄ    ハンドル
３５      切断装置
３６      露光ユニット
３７      露光エンジン
３８ａ    ローラ対
３８ｂ    スライド搬送体
４０      現像処理液槽
４０ａ，４０ｂ，・・    液槽
４２      現像処理部搬送系
４２ａ    液中搬送系
４２ｂ    外部搬送系
５０      乾燥処理部搬送系
５１      乾燥装置
６０      第１排出口
６１      コンベア
６２      仕分機構
６２ａ，６２ｂ，・・    トレー
６５      第２排出口
７０      モニター
７１      入力手段
７１ａ    キーボード
７１ｂ    マウス
７２      読取手段
７２ａ    フィルムスキャナ
７２ｂ    メディアドライブ
７３      演算処理装置
１０１    第１ベース部
１０２    第１スライドレール
１０３    第２ベース部（筐体部）
１０４    第２スライドレール（第２スライド部）
１０５    回動機構
１０６    マガジン台
１１４    回動側ギア
１１５    固定側ギア
１１６    第３スライドレール（第１スライド部）
１１７    第３ベース部
１１８    回動軸
１１９    ガススプリング（衝撃回避部材）
１２０    マガジンガイド
１２１    第１呼込ガイド（位置決め部材）
１２２    第２呼込ガイド（位置決め部材）
１２３    取手
２０１ａ，２０１ｂ，２０１ｃ    送出ローラ対
２０２ａ，２０２ｂ，２０２ｃ    引出口
２０４    第１ターンローラ
２０９ｂ，２０９ｃ  供給口
２１２    第２ターンローラ
２２０    アドバンスローラ（ローラ対）
Ｐ        感光材料（記録材料）
Ｒ        ロール（記録材料ロール）
ｒ        コア
ＴＬ      搬送経路
ＴＭ      搬送経路
【図１】
2008213989.tif 000003
【図２】
2008213989.tif 000004
【図３】
2008213989.tif 000005
【図４】
2008213989.tif 000006
【図５】
2008213989.tif 000007
【図６】
2008213989.tif 000008
【図７】
2008213989.tif 000009
【図８】
2008213989.tif 000010
【図９】
2008213989.tif 000011
【図１０】
2008213989.tif 000012
【図１１】
2008213989.tif 000013
【図１２】
2008213989.tif 000014
【図１３】
2008213989.tif 000015